(57)【要約】本発明は、優先順位が低いサービスも一定水準のサービス品質を保障できるようにした移動通信システムにおけるトランスポートフォーマット組み合わせ選択に関し、異なるＱｏＳと異なる優先順位を有するサービスの伝送時、ＭＡＣ層が各サービスの優先順位を保障すると共に、ＱｏＳも保障するトランスポートフォーマット組み合わせを選択する。本発明により、伝送時間間隔内で複数のデータユニットを伝送するための移動通信装置もまた提供される。
2008503145.tif 000002
【特許請求の範囲】
【請求項１】
決定されたトランスポートフォーマット組み合わせセット及び伝送優先順位から選択されるトランスポートフォーマット組み合わせは、各複数の上位層チャネルからデータユニットを伝送するために存在し、前記複数の上位層チャネルの少なくとも１つは、対応する最低サービス品質（ＱｏＳ）要求事項を設けており、前記トランスポートフォーマット組み合わせは、前記少なくとも１つの上位層チャネルに対する最低ＱｏＳを保障するように選択されることを特徴とする、複数の上位層チャネルから下位層チャネルにデータユニットを多重化することで伝送時間間隔内で複数のデータユニットを伝送するためのトランスポートフォーマット組み合わせを選択する方法。
【請求項２】
前記複数の上位層チャネルは論理チャネルであり、下位層チャネルはコード複合トランスポートチャネルであることを特徴とする請求項１に記載の方法。
【請求項３】
前記トランスポートフォーマット組み合わせは、前記複数の上位層チャネルの伝送優先順位を考慮する前に前記少なくとも１つの上位層チャネルの最低ＱｏＳ要求事項を考慮して選択されることを特徴とする請求項１に記載の方法。
【請求項４】
前記多重化は、下位層で行われることを特徴とする請求項１に記載の方法。
【請求項５】
前記多重化は、ＭＡＣ層で行われることを特徴とする請求項１に記載の方法。
【請求項６】
前記最低ＱｏＳは、最低ビットレート、保障ビットレート、最小伝送遅延の少なくとも１つを含むことを特徴とする請求項１に記載の方法。
【請求項７】
前記最低ＱｏＳは、無線リソース制御層で決定された前記トランスポートフォーマット組み合わせセットにより保障されることを特徴とする請求項１に記載の方法。
【請求項８】
ＭＡＣ層が前記トランスポートフォーマット組み合わせを選択することにより前記最低ＱｏＳが保障されることを特徴とする請求項１に記載の方法。
【請求項９】
前記トランスポートフォーマット組み合わせは、データユニットが少なくとも１つの論理チャネルで伝送される場合にのみ、前記複数の上位層チャネルの伝送優先順位を考慮する前に少なくとも１つの上位層チャネルの最低ＱｏＳ要求事項を考慮することにより選択されることを特徴とする請求項８に記載の方法。
【請求項１０】
前記複数の上位層チャネルと下位層チャネルは、ＵＴＲＡＮで実現されることを特徴とする請求項１に記載の方法。
【請求項１１】
前記複数の上位層チャネルと下位層チャネルは、移動端末で実現されることを特徴とする請求項１に記載の方法。
【請求項１２】
前記最低ＱｏＳは、ＵＴＲＡＮの無線リソース制御層で決定されたトランスポートフォーマット組み合わせセットにより保障されることを特徴とする請求項１１に記載の方法。
【請求項１３】
複数の上位層チャネルの少なくとも１つが対応する最低ＱｏＳ要求事項を設けているか否かを判断する段階と、
前記複数の上位層チャネルの少なくとも１つが対応する最低ＱｏＳ要求事項を設けている場合、前記少なくとも１つの上位層チャネルに対する最低ＱｏＳを保障するために、決定されたトランスポートフォーマット組み合わせセットからトランスポートフォーマット組み合わせを選択する段階と
を含むことを特徴とする、データユニットを伝送するためにそれぞれ異なる伝送優先順位を有する複数の上位層チャネルから下位層チャネルに前記データユニットを多重化して伝送時間間隔内で前記複数のデータユニットを伝送するための方法。
【請求項１４】
前記最低ＱｏＳは、無線リソース制御層で決定された前記トランスポートフォーマット組み合わせセットにより保障されることを特徴とする請求項１３に記載の方法。
【請求項１５】
前記最低ＱｏＳは、媒体アクセス制御（ＭＡＣ）層で前記トランスポートフォーマット組み合わせを選択することにより保障されることを特徴とする請求項１３に記載の方法。
【請求項１６】
対応する最低ＱｏＳ要求事項を設けている前記少なくとも１つの上位層チャネルで伝送されるデータユニットが存在するか否かを決定する段階をさらに含み、
前記トランスポートフォーマット組み合わせは、データユニットが少なくとも１つの論理チャネルで伝送される場合にのみ、複数の上位層チャネルの伝送優先順位を考慮する前に少なくとも１つの上位層チャネルの最低ＱｏＳ要求事項を考慮することにより選択されることを特徴とする請求項１５に記載の方法。
【請求項１７】
前記複数の上位層チャネルは論理チャネルであり、前記下位層チャネルはコード複合トランスポートチャネルであることを特徴とする請求項１３に記載の方法。
【請求項１８】
前記多重化は、前記下位層で行われることを特徴とする請求項１３に記載の方法。
【請求項１９】
前記多重化は、ＭＡＣ層で行われることを特徴とする請求項１３に記載の方法。
【請求項２０】
前記最低ＱｏＳは、最低ビットレート、保障ビットレート、最小伝送遅延の少なくとも１つを含むことを特徴とする請求項１３に記載の方法。
【請求項２１】
前記複数の上位層チャネルと下位層チャネルは、ＵＴＲＡＮで実現されることを特徴とする請求項１３に記載の方法。
【請求項２２】
前記複数の上位層チャネルと下位層チャネルは、移動端末で実現されることを特徴とする請求項１３に記載の方法。
【請求項２３】
前記最低ＱｏＳは、ＵＴＲＡＮの無線リソース制御層で決定されたトランスポートフォーマット組み合わせセットにより保障されることを特徴とする請求項２２に記載の方法。
【請求項２４】
ＲＦモジュールと、
アンテナと、
データ及び制御情報を保存するための保存手段と、
ユーザに情報を伝達するためのディスプレイと、
複数の上位層チャネルから下位層チャネルにデータユニットを多重化することにより伝送時間間隔内で複数のデータユニットを伝送するためのトランスポートフォーマット組み合わせを選択するプロセシングユニットとを含み、
決定されたトランスポートフォーマット組み合わせセットと伝送優先順位から選択されたトランスポートフォーマット組み合わせは、各複数の上位層チャネルからデータユニットを伝送するために存在し、複数の上位層チャネルのうち少なくとも１つは、対応する最低ＱｏＳ要求事項を設けており、少なくとも１つの上位層チャネルに対する最低ＱｏＳを保障するようにトランスポートフォーマット組み合わせが選択されることを特徴とする伝送時間間隔内で複数のデータユニットを伝送するための移動通信装置。
【請求項２５】
前記複数の上位層チャネルは論理チャネルであり、前記下位層チャネルはコード複合トランスポートチャネルであることを特徴とする請求項２４に記載の移動通信装置。
【請求項２６】
前記トランスポートフォーマット組み合わせは、前記複数の上位層チャネルの伝送優先順位を考慮する前に少なくとも１つの上位層チャネルの最低ＱｏＳ要求事項を考慮することにより選択されることを特徴とする請求項２４に記載の移動通信装置。
【請求項２７】
前記多重化は、前記下位層で行われることを特徴とする請求項２４に記載の移動通信装置。
【請求項２８】
前記多重化は、ＭＡＣ層で行われることを特徴とする請求項２４に記載の移動通信装置。
【請求項２９】
前記最低ＱｏＳは、最低ビットレート、保障ビットレート、最小伝送遅延の少なくとも１つを含むことを特徴とする請求項２４に記載の移動通信装置。
【請求項３０】
前記最低ＱｏＳは、無線リソース制御層で決定された前記トランスポートフォーマット組み合わせセットにより保障されることを特徴とする請求項２４に記載の移動通信装置。
【請求項３１】
前記最低ＱｏＳは、ＭＡＣ層で前記トランスポートフォーマット組み合わせを選択することにより保障されることを特徴とする請求項２４に記載の移動通信装置。
【請求項３２】
前記トランスポートフォーマット組み合わせは、データユニットが少なくとも１つの論理チャネルで伝送される場合にのみ、前記複数の上位層チャネルの伝送優先順位を考慮する前に前記少なくとも１つの上位層チャネルの最低ＱｏＳ要求事項を考慮することにより選択されることを特徴とする請求項３１に記載の移動通信装置。
【請求項３３】
第１チャネルでデータ及び制御情報インジケータを移動端末に伝送し、第２チャネルで制御情報を前記移動端末に伝送するための送信器と、
前記移動端末から情報を受信するための受信器と、
複数の上位層チャネルから下位層チャネルにデータユニットを多重化することにより伝送時間間隔内で複数のデータユニットを伝送するためのトランスポートフォーマット組み合わせを選択するための制御器とを含み、
決定されたトランスポートフォーマット組み合わせセットと伝送優先順位から選択された前記トランスポートフォーマット組み合わせは、各複数の上位層チャネルからデータユニットを伝送するために存在し、前記複数の上位層チャネルの少なくとも１つは、対応する最低サービス品質（ＱｏＳ）要求事項を設けており、前記少なくとも１つの上位層チャネルに対する最低ＱｏＳを保障するように前記トランスポートフォーマット組み合わせが選択されることを特徴とする移動通信端末にサービスを提供するためのネットワーク。
【請求項３４】
前記複数の上位層チャネルは論理チャネルであり、下位層チャネルはコード複合トランスポートチャネルであることを特徴とする請求項３３に記載のネットワーク。
【請求項３５】
前記トランスポートフォーマット組み合わせは、前記複数の上位層チャネルの伝送優先順位を考慮する前に前記少なくとも１つの上位層チャネルの最低ＱｏＳ要求事項を考慮して選択されることを特徴とする請求項３３に記載のネットワーク。
【請求項３６】
前記多重化は、前記下位層で行われることを特徴とする請求項３３に記載のネットワーク。
【請求項３７】
前記多重化は、ＭＡＣ層で行われることを特徴とする請求項３３に記載のネットワーク。
【請求項３８】
前記最低ＱｏＳは、最低ビットレート、保障ビットレート、最小伝送遅延の少なくとも１つを含むことを特徴とする請求項３３に記載のネットワーク。
【請求項３９】
前記最低ＱｏＳは、無線リソース制御層で決定された前記トランスポートフォーマット組み合わせセットにより保障されることを特徴とする請求項３３に記載のネットワーク。
【請求項４０】
前記最低ＱｏＳは、ＭＡＣ層で前記トランスポートフォーマット組み合わせを選択することにより保障されることを特徴とする請求項３３に記載のネットワーク。
【請求項４１】
前記トランスポートフォーマット組み合わせは、データユニットが前記少なくとも１つの論理チャネルで伝送される場合にのみ、前記複数の上位層チャネルの伝送優先順位を考慮する前に前記少なくとも１つの上位層チャネルの最低ＱｏＳ要求事項を考慮することにより選択されることを特徴とする請求項４０に記載のネットワーク。
【発明の詳細な説明】
【技術分野】
【０００１】
本発明は、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）システムと欧州式ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００システムにおいて、送信側の媒体アクセス制御（Ｍｅｄｉｕｍ  Ａｃｃｅｓｓ  Ｃｏｎｔｒｏｌ：ＭＡＣ）層がチャネル状況に適するようにデータを伝送するためのトランスポートフォーマット組み合わせ（Ｔｒａｎｓｐｏｒｔ  Ｆｏｒｍａｔ  Ｃｏｍｂｉｎａｔｉｏｎ：ＴＦＣ）を選択する方法に関し、特に、優先順位が低いサービスも一定水準のサービス品質を保障できるようにする移動通信システムにおけるトランスポートフォーマット組み合わせ選択方法に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）技術を基盤としてより向上した無線通信サービスの提供を目標とする。
【０００３】
ＵＭＴＳの標準化作業のために１９９８年１２月にヨーロッパのＥＴＳＩ、日本のＡＲＩＢ／ＴＴＣ、米国のＴ１、及び韓国のＴＴＡなどは、第３世代移動体通信システムの標準化プロジェクト（Ｔｈｉｒｄ  Ｇｅｎｅｒａｔｉｏｎ  Ｐａｒｔｎｅｒｓｈｉｐ  Ｐｒｏｊｅｃｔ：  ３ＧＰＰ）というプロジェクトを構成し、ＵＭＴＳの効果的で迅速な技術開発のために、３ＧＰＰでは、ネットワーク構成要素とこれらの動作の独立性を考慮して、ＵＭＴＳの標準化作業を５つの技術規格グループ（Ｔｅｃｈｎｉｃａｌ  Ｓｐｅｃｉｆｉｃａｔｉｏｎ  Ｇｒｏｕｐｓ：  ＴＳＧ）に分けて進めている。
【０００４】
各ＴＳＧは、関連したエリア内で標準規格の開発、承認、及びその管理を担当するが、そのうち、無線アクセスネットワーク（Ｒａｄｉｏ  Ａｃｃｅｓｓ  Ｎｅｔｗｏｒｋ：  ＲＡＮ）グループ（ＴＳＧ  ＲＡＮ）は、ＵＭＴＳにおいてＷＣＤＭＡ接続技術をサポートするための新しい無線アクセスネットワークであるＵＴＲＡＮの機能、要求事項、及びインタフェースに関する規格を開発する。
【０００５】
図１は、従来のＵＭＴＳネットワーク構造１を示す図である。１つの移動端末又はユーザ装置（ＵＥ）２は、ＵＴＲＡＮ６を介してコアネットワーク４に接続される。前記ＵＴＲＡＮ６は、前記ＵＥ２と前記コアネットワーク４間の通信のための無線接続ベアラの設定、維持、及び管理を行い、エンドツーエンドのサービス品質要求事項を充足させる。
【０００６】
前記ＵＴＲＡＮ６は、少なくとも１つの無線ネットワークサブシステム（Ｒａｄｉｏ  Ｎｅｔｗｏｒｋ  Ｓｕｂｓｙｓｔｅｍｓ：ＲＮＳ）８から構成され、各ＲＮＳ８は、複数の基地局又はＮｏｄｅ  Ｂ１２のための１つの無線ネットワーク制御装置（Ｒａｄｉｏ  Ｎｅｔｗｏｒｋ  Ｃｏｎｔｒｏｌｌｅｒ：ＲＮＣ）１０を含む。所定の基地局１２に接続されたＲＮＣ１０は、１つのセル内で動作する前記ＵＥ２に提供される共有リソースの割り当て及び管理を担当する制御ＲＮＣを意味する。１つのＮｏｄｅ  Ｂには、１つ以上のセルが存在する。前記制御ＲＮＣ１０は、トラヒック負荷、セル輻輳（ｃｏｎｇｅｓｔｉｏｎ）、及び新しい無線リンクの承認を制御する。各Ｎｏｄｅ  Ｂ１２は、前記ＵＥ２からアップリンク信号を受信し、前記ＵＥ２にダウンリンク信号を伝送する。各Ｎｏｄｅ  Ｂ１２は、前記ＵＥ２と前記ＵＴＲＡＮ６を接続するアクセスポイントの役割を果たし、前記ＲＮＣ１０は、該当Ｎｏｄｅ  Ｂと前記コアネットワーク４を接続するためのアクセスポイントの役割を果たす。
【０００７】
前記ＵＴＲＡＮ６のＲＮＳ８のうち、サービングＲＮＣ１０は、特定ＵＥにサービスを提供するための専用無線リソースを管理するＲＮＣであり、前記特定ＵＥにデータを送信するための前記コアネットワーク４とのアクセスポイントである。前記ＵＥ２に接続された他の全てのＲＮＣがドリフト（ｄｒｉｆｔ）ＲＮＣであるため、前記ＵＴＲＡＮ６を介して前記ＵＥと前記コアネットワーク４を接続するサービングＲＮＣ１０は１つのみ存在する。前記ドリフトＲＮＣ１０は、ユーザデータのルーティングを容易にし、共有リソースとして符号を割り当てる。
【０００８】
前記ＵＥ２と前記ＵＴＲＡＮ６間のインタフェースは、無線アクセスネットワーク規格に準拠して設定された無線インタフェースプロトコルにより実現されるが、この無線インタフェースプロトコルは、例えば、３ＧＰＰ規格で説明された物理層Ｌ１、データリンク層Ｌ２、及びネットワーク層Ｌ３からなる。これらの層は、通信システムにおいて公知の開放型システム間相互接続（ＯＳＩ）モデルの下位３層に基づく。
【０００９】
図２は、従来の無線インタフェースプロトコルの構造を示す。図２に示すように、前記無線インタフェースプロトコルは、水平的には、物理層と、データリンク層と、ネットワーク層とに区分され、垂直的には、音声信号及びＩＰパケット送信などのデータトラヒックを転送するためのユーザプレーンと、インタフェースの維持及び管理のための制御情報を転送するための制御プレーンとに区分される。このような無線インタフェースプロトコルは、前記ＵＥ及び前記ＵＴＲＡＮに対（ｐａｉｒ）として存在し、無線区間内でデータを伝送する。以下、それぞれの無線インタフェースプロトコル層について説明する。
【００１０】
第１層である物理層（ＰＨＹ）は、多様な無線伝送技術を用いてデータを無線区間に伝送する。特に、前記物理層（ＰＨＹ）は、上位層に情報転送サービスを提供し、ＭＡＣ層とはトランスポートチャネル（ＴｒＣＨ）で接続される。無線区間のデータは、前記トランスポートチャネルを介して前記ＭＡＣ層と前記物理層間に信頼できるように伝送される。前記トランスポートチャネルは、チャネルが共有されるか否かによって、専用トランスポートチャネルと共用トランスポートチャネルとに区分される。また、データ送信は、相異なる物理層間、すなわち、送信側（送信器）と受信側（受信器）の物理層間で物理チャネルを介して行われる。
【００１１】
第２層は、ＭＡＣ層、無線リンク制御（Ｒａｄｉｏ  Ｌｉｎｋ  Ｃｏｎｔｒｏｌ：  ＲＬＣ）層、ブロードキャスト／マルチキャスト制御（Ｂｒｏａｄｃａｓｔ／Ｍｕｌｔｉｃａｓｔ  Ｃｏｎｔｒｏｌ：ＢＭＣ）層、パケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）層を含む。前記ＭＡＣ層は、多様な論理チャネル（ＬｏＣＨ）を多様なトランスポートチャネルにマッピングする。また、前記ＭＡＣ層は、複数の論理チャネルを１つのトランスポートチャネルにマッピングすることにより論理チャネルを多重化する。前記ＭＡＣ層は、論理チャネルを介して上位ＲＬＣ層に接続され、前記論理チャネルは、転送情報の種類によって、制御プレーンの情報を転送する制御チャネルと、ユーザプレーンの情報を転送するトラヒックチャネルとに分けられる。
【００１２】
前記ＭＡＣ層は、管理するトランスポートチャネルの種類によって、ＭＡＣ−ｂサブレイヤ、ＭＡＣ−ｄサブレイヤ、ＭＡＣ−ｃ／ｓｈサブレイヤ、ＭＡＣ−ｈｓサブレイヤ、及びＭＡＣ−ｅサブレイヤに区分される。ＭＡＣ−ｂサブレイヤは、システム情報のブロードキャストを担当するトランスポートチャネルであるＢＣＨ（Ｂｒｏａｄｃａｓｔ  Ｃｈａｎｎｅｌ）を管理し、ＭＡＣ−ｃ／ｓｈサブレイヤは、他の端末と共有されるＦＡＣＨ（Ｆｏｒｗａｒｄ  Ａｃｃｅｓｓ  Ｃｈａｎｎｅｌ）やＤＳＣＨ（Ｄｏｗｎｌｉｎｋ  Ｓｈａｒｅｄ  Ｃｈａｎｎｅｌ）などの共用トランスポートチャネルを管理し、ＭＡＣ−ｄサブレイヤは、特定端末に対する専用トランスポートチャネルであるＤＣＨ（Ｄｅｄｉｃａｔｅｄ  Ｃｈａｎｎｅｌ）を管理する。また、アップリンク及びダウンリンク高速データ伝送をサポートするために、ＭＡＣ−ｈｓサブレイヤは、高速ダウンリンクデータ伝送のためのトランスポートチャネルであるＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を管理し、ＭＡＣ−ｅサブレイヤは、高速アップリンクデータ伝送のためのトランスポートチャネルのＥ−ＤＣＨ（Ｅｎｈａｎｃｅｄ  ｄｅｄｉｃａｔｅｄ  Ｃｈａｎｎｅｌ）を管理する。
【００１３】
ＲＬＣ層は、各無線ベアラ（Ｒａｄｉｏ  Ｂｅａｒｅｒ：ＲＢ）のサービス品質（ＱｏＳ）に対する保障及び該当データの伝送を担当する。ＲＬＣ層は、各ＲＢの固有ＱｏＳを保障するために、各ＲＢに１つ又は２つの独立したＲＬＣエンティティを含み、多様なＱｏＳをサポートするために、トランスペアレントモード（Ｔｒａｎｓｐａｒｅｎｔ  Ｍｏｄｅ：ＴＭ）、無応答モード（Ｕｎａｃｋｎｏｗｌｅｄｇｅｄ  Ｍｏｄｅ：ＵＭ）、及び応答モード（Ａｃｋｎｏｗｌｅｄｇｅｄ  Ｍｏｄｅ：ＡＭ）の３つのＲＬＣモードを提供する。また、ＲＬＣは、下位層の無線インタフェースでのデータ伝送に適するようにデータサイズを調節する役割も果たす。このために、前記ＲＬＣ層は、上位層から受信したデータを分割及び連結する。
【００１４】
ＰＤＣＰ層は、ＲＬＣ層の上位に位置し、ＩＰｖ４やＩＰｖ６のようなネットワークプロトコルで伝送されるデータを相対的に狭い帯域幅を有する無線インタフェース上で効率的に伝送するために使用される。このために、前記ＰＤＣＰ層は、データのヘッダ部分で必要な情報のみを伝送することで無線インタフェースでの伝送効率を向上させるヘッダ圧縮機能を行う。ＰＤＣＰ層は、ヘッダ圧縮が基本機能であるため、ＰＳ（Ｐａｃｋｅｔ  Ｓｗｉｔｃｈｅｄ）ドメインにのみ存在し、各ＰＳサービスに対する効果的なヘッダ圧縮機能を提供するために、１つのＲＢ当たり１つのＰＤＣＰエンティティが存在する。
【００１５】
前記第２層において、前記ＲＬＣ層の上位に位置するＢＭＣ層は、セルブロードキャストメッセージ（ｃｅｌｌ  ｂｒｏａｄｃａｓｔ  ｍｅｓｓａｇｅ）をスケジューリングし、特定セルに位置する端末に前記メッセージをブロードキャストする役割を果たす。
【００１６】
第３層Ｌ３の最下部に位置するＲＲＣ層は、制御プレーンにおいて定義され、ＲＢの設定、再設定、及び解除に関する第１層及び第２層のパラメータを制御し、また、論理チャネル、トランスポートチャネル、及び物理チャネルの制御を担当する。ここで、前記ＲＢは、端末とＵＴＲＡＮ間のデータ伝送のために無線プロトコルの第１層及び第２層により提供される論理パスを意味する。一般に、ＲＢの設定とは、特定サービスを提供するために必要なプロトコル層及びチャネルの特性を規定し、それぞれの具体的なパラメータ及び動作方法を設定することである。
【００１７】
以下、ＭＡＣ層により行われるＴＦＣの選択方法について説明する。ＴＦＣ選択とは、時々刻々変化する無線チャネル状況に応じて適切なサイズの伝送ブロック（Ｔｒａｎｓｐｏｒｔ  Ｂｌｏｃｋ：ＴＢ）とその数を選択する機能であり、限られた無線リソースの効率的な使用を可能にする。ＭＡＣ層は、ＰＨＹ層にトランスポートチャネルで伝送ブロックを伝送するが、トランスポートフォーマット（Ｔｒａｎｓｐｏｒｔ  Ｆｏｒｍａｔ：ＴＦ）とは、１つのトランスポートチャネルにより伝送されるＴＢのサイズ及び数に関する規定を意味する。このように、特定トランスポートチャネルに対するＴＦを決定するとき、ＭＡＣ層は、ＰＨＹ層でのトランスポートチャネル多重化（Ｔｒａｎｓｐｏｒｔ  Ｃｈａｎｎｅｌ  Ｍｕｌｔｉｐｌｅｘｉｎｇ）を考慮しなければならない。
【００１８】
トランスポートチャネル多重化とは、複数のトランスポートチャネルを１つのコード複合トランスポートチャネル（Ｃｏｄｅｄ  Ｃｏｍｐｏｓｉｔｅ  Ｔｒａｎｓｐｏｒｔ  Ｃｈａｎｎｅｌ：ＣＣＴｒＣＨ）にマッピングすることをいう。前記トランスポートチャネル多重化はＰＨＹ層が行うが、ＭＡＣ層は、ＴＦの決定時に同一のＣＣＴｒＣＨにマッピングされる全てのトランスポートチャネルを考慮しなければならない。ＰＨＹ層により処理されるデータの量は、ＣＣＴｒＣＨで伝送される量であるため、ＭＡＣ層は、ＣＣＴｒＣＨを考慮して各トランスポートチャネルのＴＦを決定しなければならない。
【００１９】
ここで、ＴＦの組み合わせをトランスポートフォーマット組み合わせ（Ｔｒａｎｓｐｏｒｔ  Ｆｏｒｍａｔ  Ｃｏｍｂｉｎａｔｉｏｎ：ＴＦＣ）という。前記ＴＦＣは、ＭＡＣ層により独自に決定されるのではなく、ＵＴＲＡＮのＲＲＣ層が通知する使用可能なＴＦＴＳのセット（ａ  ｓｅｔ  ｏｆ  Ｔｒａｆｆｉｃ  Ｆｌｏｗ  Ｔｅｍｐｌａｔｅｓ：ＴＦＴＳ）から選択される。すなわち、ＵＴＲＡＮのＲＲＣ層は、ＲＢの初期設定時にＭＡＣ層に１つのＣＣＴｒＣＨに対して使用可能なＴＦＣを通知し、ＭＡＣ層は、伝送時間間隔（Ｔｒａｎｓｍｉｓｓｉｏｎ  Ｔｉｍｅ  Ｉｎｔｅｒｖａｌ：ＴＴＩ）毎に使用可能なＴＦＣのセット（ＴＦＣＳ）から適切なＴＦＣを選択する。端末ＲＲＣがＵＴＲＡＮ  ＲＲＣからＴＦＣＳ情報を無線インタフェースで受信し、前記受信されたＴＦＣＳ情報を端末ＲＲＣが端末ＭＡＣ層に通知する。
【００２０】
ＴＦＣＳのうち各ＴＴＩ内で最適のＴＦＣを選択することがＭＡＣ層の主要機能である。前記最適のＴＦＣ選択は、２つの段階に分けられる。まず、ＣＣＴｒＣＨに割り当てられたＴＦＣＳ内に有効（ｖａｌｉｄ）ＴＦＣＳを構成し、その後、前記有効ＴＦＣＳのうち最適のＴＦＣを選択する。前記有効ＴＦＣＳとは、所定ＴＦＣＳにおいて該当ＴＴＩに使用可能なＴＦのセットであり、無線チャネル状況が時々刻々変化することにより端末の最大送信電力も変化するため、構成される。一般に、伝送可能なデータ量は、送信電力の大きさに比例するので、使用可能なＴＦＣＳは、最大送信電力により制限される。
【００２１】
最適のＴＦＣとは、このように、最大送信電力により制限された有効ＴＦＣＳにおいて伝送されるデータを最適に伝送できるＴＦＣを意味する。しかし、ここで、最適のＴＦＣは、有効ＴＦＣＳにおいて、データ伝送量に基づいて選択されるのではなく、論理チャネルの優先順位（Ｌｏｇｉｃａｌ  Ｃｈａｎｎｅｌ  Ｐｒｉｏｒｉｔｙ）に基づいて選択される。論理チャネルには１から８までの優先順位が設定され（１が最高の優先順位である）、複数の論理チャネルが１つのトランスポートチャネルに多重化され、複数のトランスポートチャネルが１つのＣＣＴｒＣＨに多重化される場合、ＭＡＣ層は、優先順位が高い論理チャネルデータを最適に伝送できるＴＦＣを選択する。
【００２２】
図３は、ＴＦＣを選択する一般的な方法を示す。図４は、複数の論理チャネルと複数のトランスポートチャネルが１つのＣＣＴｒＣＨに多重化される構造を示す。ＭＡＣ層によるＴＦ選択過程を図４を参照して説明する。図４は、ＣＣＴｒＣＨに３つの論理チャネル（ＬｏＣＨ）と２つのトランスポートチャネル（ＴｒＣＨ）がマッピングされるケースを示し、さらに、ＬｏＣＨ１とＬｏＣＨ２がＴｒＣＨ１に多重化されるケースを示す。ここで、ＬｏＣＨ１の優先順位は１、ＬｏＣＨ２の優先順位は５、ＬｏＣＨ３の優先順位は３であり、ＬｏＣＨ１の優先順位が最も高い。
【００２３】
ＭＡＣ層は、各ＴＴＩ内でＴＦＣＳから最適のＴＦＣを選択する。ＴＦＣＳは、図４に示すように、ＭＡＣ層が決定するのでなく、ＲＲＣがＲＢを設定するときにＲＲＣからＭＡＣ層に伝送される。図４において、１６個のＴＦＣが定義されているが、それぞれのＴＦＣは、ＴＦＣインデックスという識別番号を有する。括弧内の数字（ｘ，ｙ）は、元来は、サイズ１のＴｒＣＨ１のＴＢの数、サイズ２のＴｒＣＨ２のＴＢの数を意味するが、ここでは、全てのＴＢのサイズが同一であることが好ましい。従って、括弧内の数は、ＴｒＣＨ１のＴＢの数、ＴｒＣＨ２のＴＢの数である。
【００２４】
図４に示すように、ＲＬＣのＴｘ  Ｂｕｆｆｅｒ１、Ｔｘ  Ｂｕｆｆｅｒ２、Ｔｘ  Ｂｕｆｆｅｒ３は、それぞれ送信待機中の３つ、４つ、２つのデータブロック（ＴＢ）を有し、また、最大送信電力の制限により最大１０個のＴＢを伝送できると仮定すると、ＭＡＣ層は、図５の方法により最適のＴＦＣ（ＴＦＣＩ＝１１）を選択する。
【００２５】
以下、図５の最適ＴＦＣ選択方法を図３を参照して詳細に説明する。図５に示すように、１６個のＴＦＣが提供されると（１）、限定された送信電力により最大１０個のＴＢを伝送できる。従って、ＭＡＣ層は、所定ＴＦＣＳ（２）からＴＦＣＩ＝１３及びＴＦＣＩ＝１５を除いて有効ＴＦＣＳを構成する（Ｓ１１）。ＴｒＣＨ１とＴｒＣＨ２の各ＴＢの和が１０を超過するため、ＴＦＣＩ＝１３，１５は除外される。例えば、ＴＦＣＩ＝１３の場合、ＴｒＣＨ１に６つのＴＢが、ＴｒＣＨ２に６つのＴＢが存在する。従って、ＴｒＣＨ１とＴｒＣＨ２のそれぞれのＴＢの和は１２になり、これは、伝送できる最大のＴＢの数である１０を超過するため、有効ＴＦＣＳ（２）を構成するとき、ＭＡＣ層はＴＦＣＩ＝１３を除く（２）。
【００２６】
ＭＡＣ層は、前記構成された有効ＴＦＣＳのうち、各トランスポートチャネル別にＲＬＣのＴｘ  Ｂｕｆｆｅｒに保存されているＴＢの総数より多くのＴＢを伝送するＴＦＣを除く。このように、トランスポートチャネルのデータ量より大きいＴＦＣを除く理由は、トランスポートチャネルのデータ量より大きいＴＦＣを選択した場合、前記ＲＬＣは、データなしにパディングのみから構成されたＴＢを生成しなければならず、これは、無線リソースの浪費の原因となるためである。
【００２７】
図４を参照すると、ＴｒＣＨ１は、Ｔｘ  Ｂｕｆｆｅｒ１（３ＴＢ）とＴｘ  Ｂｕｆｆｅｒ２（４ＴＢ）に保存されたＴＢを加算した７ＴＢから構成され、このようなＴＢは、それぞれＬｏＣＨ１とＬｏＣＨ２でＴｒＣＨ１に伝送される。従って、ＭＡＣ層は、ＴＦＣＩ＝１４であるＴｒＣＨ１のＴＢ数が８つであり、８が図４のＴｒＣＨ１のＴＢの総数（７ＴＢ）を超過するため、ＴＦＣＩ＝１４は除かれる。同様に、図４のＴｒＣＨ２は２ＴＢを有し、ＴＦＣＩ＝９とＴＦＣＩ＝１２のＴｒＣＨ２のＴＢの数がそれぞれ４ＴＢであり、２ＴＢを超過するため、ＭＡＣ層は、ＴＦＣＩ＝９とＴＦＣＩ＝１２を除く。このように、ＭＡＣ層は、ＴＦＣＩ＝９、１２、１４を除いて新しい有効ＴＦＣＳを構成する（３）（Ｓ１２）。
【００２８】
ＬｏＣＨ１が最優先順位１を有するため、ＭＡＣ層は、ＬｏＣＨ１に基づいて新しい有効ＴＦＣＳを構成する。ＬｏＣＨ１が３ＴＢを有するので、ＭＡＣ層は、ＬｏＣＨ１のデータを最適に伝送できるＴＦＣを選択する。ここで、ＭＡＣ層は、各ＴＦＣＩに対するＴｒＣＨ１のＴＢの数が３より大きいため、ＴＦＣＩ＝６、７、８、１０、１１を選択する。従って、新しい有効ＴＦＣＳ（４）は、前記段階（３）で構成されたＴＦＣＩ＝０，１、２、３、４、５を除いて構成する（Ｓ１３）。
【００２９】
ＭＡＣ層は、次の最高の優先順位のＬｏＣＨ３に基づいて新しい有効ＴＦＣＳを構成する。ＬｏＣＨ３が２ＴＢを有するので、ＭＡＣ層は、ＬｏＣＨ３のデータを最適に伝送できるＴＦＣを選択する。ここで、ＭＡＣ層は、各ＴＦＣＩに対するＴｒＣＨ２のＴＢの数が２より大きいか、２と同一であるため、ＴＦＣＩ＝８、１１を選択する。従って、新しい有効ＴＦＣＳ（５）は、前記段階（４）で構成されたＴＦＣＩ＝６、７、１０を除いて構成する。
【００３０】
ＭＡＣ層は、次の最高の優先順位を有するＬｏＣＨ２に基づいて新しい有効ＴＦＣＳを構成する。ＬｏＣＨ２が３ＴＢを有するので、ＭＡＣ層は、ＬｏＣＨ２のデータを最適に伝送できるＴＦＣを選択する。ここで、ＭＡＣ層は、有効ＴＦＣＳ（５）に残ったＴＦＣＩのうちＴｒＣＨ１の最大のＴＢ数を有するため、ＴＦＣＩ＝１１を選択する。従って、ＭＡＣ層は、前記段階（５）で構成されたＴＦＣＩ＝８を除いて新しい有効ＴＦＣＳ（６）を構成する（Ｓ１３〜Ｓ１４）。
【００３１】
有効ＴＦＣＳを構成しない論理チャネル、すなわち、有効ＴＦＣＳに含まれない論理チャネルが存在すると（Ｓ１５）、ＭＡＣ層は、段階（４）に進み、有効ＴＦＣＳに含まれない論理チャネルが存在しないと、ＭＡＣ層は、構成された有効ＴＦＣＳのうち任意のＴＦＣを最適ＴＦＣとして選択する（Ｓ１６）。ここでは、有効ＴＦＣＳ内にはＴＦＣが１つしか存在しないので、ＴＦＣＩ＝１１が最適ＴＦＣ６として選択される。結局、ＴＴＩ内で伝送されるＴＢの数は、各論理チャネル別にＬｏＣＨ１＝３、ＬｏＣＨ２＝３、ＬｏＣＨ３＝２となる。
【００３２】
前述した方法で段階（２）と段階（３）の順序は逆になることがある。
【００３３】
一般的なトランスポートフォーマット組み合わせ選択方法においては、ＭＡＣ層が論理チャネルの優先順位に基づいてＴＦＣを選択する。すなわち、優先順位が最も高い論理チャネルのデータを最適に伝送できるＴＦＣが選択され、優先順位が低い論理チャネルのデータは全く伝送できないこともある。
【００３４】
図４を参照して上記の問題を説明すると、最も高い優先順位のＬｏＣＨ１のＴＢ量が７である場合、図５のような方法により、ＭＡＣ層は、ＴＦＣＩ＝１４＝（８，０）を選択する。従って、前記ＴＴＩ内で伝送されるＴＢの数は、各論理チャネル別にＬｏＣＨ１＝７、ＬｏＣＨ２＝１、ＬｏＣＨ３＝０となる。この過程を図６に示す。
【発明の開示】
【発明が解決しようとする課題】
【００３５】
このように、伝送できるデータが存在するにもかかわらず、高い優先順位の論理チャネルデータの伝送によりデータを伝送できなくなる状況をスターベイション（ｓｔａｒｖａｔｉｏｎ）という。一般的なＴＦＣ選択方法のように論理チャネルの絶対的な優先順位に基づいてＴＦＣを選択すると、スターベイション状況が必ず発生するという問題があった。
【００３６】
このようなスターベイションは、ある特定サービスの品質を著しく低下させる要因として作用する。例えば、オーディオストリーミングのようなリアルタイムパケットサービスの場合は、所定量のデータが続けて伝送される必要があるが、論理チャネルの優先順位によってスターベイションが発生すると、長時間伝送できないパケットは、必要なくなって廃棄されるので、サービス品質が低下する。
【００３７】
本発明は、このような問題を解決するために提案されたものであり、本発明の目的は、異なる優先順位と異なるＱｏＳを設けているサービスを伝送するとき、ＭＡＣ層が各サービスの優先順位だけでなく、ＱｏＳも考慮してトランスポートフォーマット組み合わせを選択することにより、優先順位が低いサービスも一定水準のＱｏＳを保障できる、移動通信システムにおけるトランスポートフォーマット組み合わせ（ＴＦＣ）選択方法を提供することにある。
【００３８】
本発明のさらなる長所及び利点は後述する発明の詳細な説明に記述されるが、一部はその記述内容から明確になるか、又は、本発明を実施することにより理解されるであろう。本発明の目的と長所は、特に、発明の詳細な説明及び請求の範囲並びに添付図面に開示された構成により実現及び達成される。
【課題を解決するための手段】
【００３９】
このような目的を達成するために、複数の上位層チャネルから下位層チャネルにデータユニットを多重化することで伝送時間間隔内で複数のデータユニットを伝送するためのトランスポートフォーマット組み合わせを選択する方法において、決定されたトランスポートフォーマット組み合わせセット及び伝送優先順位から選択されるトランスポートフォーマット組み合わせは、各複数の上位層チャネルからデータユニットを伝送するために存在し、前記複数の上位層チャネルの少なくとも１つは、対応する最低限のサービス品質（ＱｏＳ）要件（以下、最低サービス品質（ＱｏＳ）要求事項という）を設けており、前記トランスポートフォーマット組み合わせは、前記少なくとも１つの上位層チャネルに対する最低ＱｏＳを保障するように選択される。好ましくは、前記複数の上位層チャネルは論理チャネルであり、下位層チャネルはコード複合トランスポートチャネルである。
【００４０】
本発明の一態様において、前記トランスポートフォーマット組み合わせは、前記複数の上位層チャネルの伝送優先順位を考慮する前に前記少なくとも１つの上位層チャネルの最低ＱｏＳ要求事項を考慮して選択される。前記多重化は、下位層で実行できる。前記多重化は、ＭＡＣ層で実行できる。
【００４１】
本発明の他の態様において、前記最低ＱｏＳは、最低ビットレート、保障ビットレート、最小伝送遅延の少なくとも１つを含む。前記最低ＱｏＳは、無線リソース制御層で決定された前記トランスポートフォーマット組み合わせセットにより保障される。しかしながら、前記最低ＱｏＳは、ＭＡＣ層で前記トランスポートフォーマット組み合わせを選択することにより保障されることもある。好ましくは、前記トランスポートフォーマット組み合わせは、データユニットが少なくとも１つの論理チャネルで伝送される場合にのみ、前記複数の上位層チャネルの伝送優先順位を考慮する前に少なくとも１つの上位層チャネルの最低ＱｏＳ要求事項を考慮することにより選択される。
【００４２】
好ましくは、前記複数の上位層チャネルと下位層チャネルは、ＵＴＲＡＮで実現される。または、前記複数の上位層チャネルと下位層チャネルは、移動端末で実現される。ここで、前記最低ＱｏＳは、ＵＴＲＡＮの無線リソース制御層で決定されたトランスポートフォーマット組み合わせセットにより保障される。
【００４３】
本発明の他の実施形態において、データユニットを伝送するためにそれぞれ異なる伝送優先順位を有する複数の上位層チャネルから下位層チャネルに前記データユニットを多重化して伝送時間間隔内で前記複数のデータユニットを伝送するための方法は、複数の上位層チャネルの少なくとも１つが対応する最低ＱｏＳ要求事項を設けているか否かを判断する段階と、前記複数の上位層チャネルの少なくとも１つが対応する最低ＱｏＳ要求事項を設けている場合、前記少なくとも１つの上位層チャネルに対する最低ＱｏＳを保障するために、決定されたトランスポートフォーマット組み合わせセットからトランスポートフォーマット組み合わせを選択する段階とを含む。
【００４４】
本発明の一態様において、前記最低ＱｏＳは、無線リソース制御層で決定された前記トランスポートフォーマット組み合わせセットにより保障される。そうでない場合は、前記最低ＱｏＳは、媒体アクセス制御（ＭＡＣ）層で前記トランスポートフォーマット組み合わせを選択することにより保障される。
【００４５】
本発明の他の態様において、対応する最低ＱｏＳ要求事項を設けている前記少なくとも１つの上位層チャネルで伝送されるデータユニットが存在するか否かを決定する段階をさらに含み、前記トランスポートフォーマット組み合わせは、データユニットが少なくとも１つの論理チャネルで伝送される場合にのみ、複数の上位層チャネルの伝送優先順位を考慮する前に少なくとも１つの上位層チャネルの最低ＱｏＳ要求事項を考慮することにより選択される。
【００４６】
好ましくは、前記複数の上位層チャネルは論理チャネルであり、前記下位層チャネルはコード複合トランスポートチャネルである。前記多重化は、前記下位層で行われる。好ましくは、前記多重化は、ＭＡＣ層で行われる。
【００４７】
前記最低ＱｏＳは、最低ビットレート、保障ビットレート、最小伝送遅延の少なくとも１つを含む。前記複数の上位層チャネルと下位層チャネルは、ＵＴＲＡＮで実現される。または、前記複数の上位層チャネルと下位層チャネルは、移動端末で実現される。ここで、前記最低ＱｏＳは、ＵＴＲＡＮの無線リソース制御層で決定されたトランスポートフォーマット組み合わせセットにより保障される。
【００４８】
さらに、本発明の他の実施形態において、伝送時間間隔内で複数のデータユニットを伝送するための移動通信装置は、ＲＦモジュールと、アンテナと、データ及び制御情報を保存するための保存手段と、ユーザに情報を伝達するためのディスプレイと、複数の上位層チャネルから下位層チャネルにデータユニットを多重化することにより伝送時間間隔内で複数のデータユニットを伝送するためのトランスポートフォーマット組み合わせを選択するプロセシングユニットとを含み、決定されたトランスポートフォーマット組み合わせセットと伝送優先順位から選択されたトランスポートフォーマット組み合わせは、各複数の上位層チャネルからデータユニットを伝送するために存在し、複数の上位層チャネルのうち少なくとも１つは、対応する最低ＱｏＳ要求事項を設けており、少なくとも１つの上位層チャネルに対する最低ＱｏＳを保障するようにトランスポートフォーマット組み合わせが選択される。
【００４９】
さらに、本発明の他の実施形態において、移動通信端末にサービスを提供するためのネットワークは、第１チャネルでデータ及び制御情報インジケータを移動端末に伝送し、第２チャネルで制御情報を前記移動端末に伝送するための送信器と、前記移動端末から情報を受信するための受信器と、複数の上位層チャネルから下位層チャネルにデータユニットを多重化することにより伝送時間間隔内で複数のデータユニットを伝送するためのトランスポートフォーマット組み合わせを選択するための制御器とを含み、決定されたトランスポートフォーマット組み合わせセットと伝送優先順位から選択された前記トランスポートフォーマット組み合わせは、各複数の上位層チャネルからデータユニットを伝送するために存在し、前記複数の上位層チャネルの少なくとも１つは、対応する最低サービス品質（ＱｏＳ）要求事項を設けており、前記少なくとも１つの上位層チャネルに対する最低ＱｏＳを保障するように前記トランスポートフォーマット組み合わせが選択される。
【００５０】
上記の本発明の一般的な記載及び後述する詳細な記載は例示的なものであり、請求項の範囲に記載の本発明を具体的に説明するためのものである。
【発明を実施するための最良の形態】
【００５１】
以下、添付図面を参照して本発明の好ましい実施形態を説明する。
【００５２】
本発明は、特定サービスが最低品質サービス（ＱｏＳ）を要求する場合、ＭＡＣ層が最適ＴＦＣを選択するとき、低い優先順位を有する前記サービスにスターベイションが発生しないようにトランスポートフォーマット組み合わせを選択する方法を提供する。そのために、本発明は、以下のような２つの方法を含む。第１の方法は、特定サービスの最低ＱｏＳを考慮してＴＦＣＳを構成する方法であり、第２の方法は、特定サービスの最低ＱｏＳを考慮してＴＦＣＳを選択する方法である。
【００５３】
前記第１の方法は、ＲＲＣ層が特定サービスのＲＢを設定する場合、前記特定サービスが最低ＱｏＳを要求すると、ＱｏＳを保障できるＴＦＣＳを構成する方法である。ここで、最低ＱｏＳとしては、最低ビットレート又は最低遅延などがあり、主に、音声やストリーミングデータなどのアルタイムサービスのために要求される特性である。ＲＲＣ層は、最低ＱｏＳを保障できるＴＦＣＳを構成し、特定サービスのＲＢが最初に設定される度に、又は、論理チャネルやトランスポートチャネルのマッピング構造が変更されるときのようにデータ伝送中にＲＢを再設定する度に、新しいＴＦＣＳを構成してＭＡＣ層に伝送する。
【００５４】
本発明によると、ＬｏＣＨ１とＬｏＣＨ２がウェブブラウジングのようなインタラクティブ（ｉｎｔｅｒａｃｔｉｖｅ）タイプのサービスを提供する状態で、ＬｏＣＨ３に新しいオーディオストリーミングサービスを提供する場合、ＲＲＣは、オーディオストリーミングサービスの最低ＱｏＳを考慮してＴＦＣＳを構成する。前記オーディオストリーミングサービスの前記要求された最低ＱｏＳがＴＴＩ毎に少なくとも１つのＴＢを伝送することを要求する場合、ＲＲＣは、図７のようにＴＦＣＳを構成する。図７に示すＴＦＣＳは、少なくとも１つのＴＢを伝送できるＴＦＣのみから構成されたＴＦＣＳである。
【００５５】
図８は、図７において、ＬｏＣＨ１のＴＢの数が３であるときに最適のＴＦＣを選択する方法を示す。図９は、図７において、ＬｏＣＨ１のＴＢの数が７であるときに最適のＴＦＣを選択する方法を示す。
【００５６】
図７のように、ＴｒＣＨ２のＴＢの数が「０」であるＴＦＣが除かれたＴＦＣＳの場合、ＭＡＣ層は、ＬｏＣＨ１のＴＢが３である場合は、図８の方法でＴＦＣＩ＝６＝（６，２）を選択し、ＬｏＣＨ１のＴＢが７である場合も、図９の方法でＴＦＣＩ＝６＝（６，２）を選択するので、ＬｏＣＨ３は、スターベイションなしにデータを続けて伝送できる。
【００５７】
しかし、前記第１の方法は、次のような特徴がある。第１に、データ伝送は無線チャネル環境の影響を受け、場合によっては、データ伝送が停止される。このように、データ伝送が停止する状態をブロック化状態（ｂｌｏｃｋｅｄ  ｓｔａｔｅ）という。前記ブロック化状態のとき、ＭａｘＰｏｗｅｒはＴＢを有しない（ＭａｘＰｏｗｅｒ＝０ＴＢ）ため、エンプティ（ｅｍｐｔｙ）ＴＦＣを有するＴＦＣＩ＝０＝（０，．．．，０）が選択されてデータ伝送が停止する。しかし、本発明による第１の方法は、このようなエンプティＴＦＣが存在しないため、図８の段階（２）の有効ＴＦＣＳにはいずれの可用（ｖａｌｕａｂｌｅ）ＴＦＣも存在しなくなり、従って、プロトコルのエラーが発生するという問題がある。
【００５８】
第２に、論理チャネルが最低ＱｏＳを要求しても実際に伝送するデータがない場合もあり得る。この場合、ＭＡＣ層は、前記第１の方法により少なくとも１つのＴＢを伝送するＴＦＣを選択する。従って、ＲＬＣがパディングブロックを生成するか、プロトコルエラーが発生する。これは、図７のＬｏＣＨ３のＴＢが０であるケースに対応し、図８の段階（５）の有効ＴＦＣＳにはいずれの可用ＴＦＣも存在しなくなるため、プロトコルエラーが発生する。
【００５９】
第３に、ＲＢを設定又は再設定する度に新しいＴＦＣＳが構成されなければならないので、無線シグナリングオーバーヘッドが増加する。その理由は、以下の通りである。ＴＦＣＳは、基本的にＵＴＲＡＮ  ＲＲＣ層により構成され、端末は、前記構成されたＴＦＣＳを無線で受信する。ＲＢが設定又は再設定される度に前記ＴＦＣＳが再構成されると、その度にＴＦＣＳ情報が無線で伝送されなければならないので、シグナリングオーバーヘッドが増加する。
【００６０】
以下、本発明による向上した最低ＱｏＳを考慮してＴＦＣＳを選択する第２の方法を説明する。この第２の方法は、第１の方法と同一のＴＦＣＳ構成を有するが、ＭＡＣ層が最適ＴＦＣを選択するとき、該当論理チャネルの優先順位の前に最低ＱｏＳを考慮して選択するという点が第１の方法と異なる。前記第２の方法は、ＲＲＣ層又はＲＬＣ層などの上位層がＭＡＣ層に特定論理チャネルの最低ＱｏＳの保障のための指示（Ｉｎｄｉｃａｔｉｏｎ）情報を提供する。以下、図１０を参照して第２の方法について説明する。
【００６１】
図１０は、本発明により、特定論理チャネルの最低ＱｏＳの保障をＲＲＣ層又はＲＬＣ層などの上位層がＭＡＣ層に指示するプロトコル層の構造を示す。図１１は、図１０において、ＬｏＣＨ１のＴＢの数が３であるときに最適のＴＦＣを選択する方法を示し、図１２は、図１０において、ＬｏＣＨ１のＴＢの数が７であるときに最適のＴＦＣを選択する方法を示す。図１３は、本発明により、最低ＱｏＳを保障するＴＦＣを選択する方法を示す。一般的なＴＦＣ選択方法に比べると、本発明は、特定論理チャネルの最低ＱｏＳを考慮してＴＦＣＳを構成する方法（図１３のＳ２３〜Ｓ２９）をさらに含む。
【００６２】
図１０に示すように、ＲＲＣ層のような上位層がＬｏＣＨ３の最低ＱｏＳ＝１ＴＢ／ＴＴＩであることを保障するための指示をＭＡＣ層に伝送すると、ＭＡＣ層は、ＬｏＣＨ１のＴＢの数が３であるとき、図１３の方法でＴＦＣＩ＝６＝（６，２）を選択し、ＬｏＣＨ１のＴＢの数が７であるときも、図１２の方法でＴＦＣＩ＝６＝（６，２）を選択する。従って、第１の方法と同様に、ＬｏＣＨ３はスターベイションなしにデータを続けて伝送できる。
【００６３】
以下、図１１を参照して第２の方法について詳細に説明する。ＭＡＣ層は、ＴＦＣＳ（１）から最大送信電力（ＭａｘＰｏｗｅｒ）を超過するＴＦＣＳを除いて有効ＴＦＣＳ２を構成する。すなわち、ＴｒＣＨ１のＴＢとＴｒＣＨ２のＴＢの和が１０ＴＢ（最大送信電力の場合、伝送可能なＴＢの数）を超過するＴＦＣを前記設定されたＴＦＣＳから除いて有効ＴＦＣＳを構成する。
【００６４】
従って、ＭＡＣ層は、各トランスポートチャネル別に上位層のＴｘ  Ｂｕｆｆｅｒに保存されたＴＢの総数より多いＴＢを伝送するＴＦＣを除いて有効ＴＦＣＳ（図１１の（３））を構成する（図１３のＳ２２）。
【００６５】
ＭＡＣ層がＲＲＣ層から特定論理チャネルの最低ＱｏＳを保障するための指示を受信した場合、すなわち、最低ＱｏＳを保障しなければならない論理チャネルが存在する場合（図１３のＳ２３）、ＭＡＣ層は、前記特定論理チャネルのＱｏＳを保障するＴＦＣＳを構成しない論理チャネルのうち優先順位が最も高い論理チャネルを選択し（図１３のＳ２４）、前記選択された論理チャネルで伝送されるデータ量を確認する（図１３のＳ２５）。
【００６６】
図１０に示すように、最低ＱｏＳを保障しなければならない論理チャネルがＬｏＣＨ３であるので、ＭＡＣ層は、ＬｏＣＨ３を選択し、前記選択されたＬｏＣＨ３で伝送されるデータ量を最低ＱｏＳ＝１ＴＢ／ＴＴＩと比較する。前記選択されたＬｏＣＨ３で伝送されるデータ量が最低ＱｏＳ＝１ＴＢ／ＴＴＩより少なくないと、前記ＭＡＣ層は、前記有効ＴＦＣＳからＬｏＣＨ３の最低ＱｏＳを保障できないＴＦＣを除いてＱｏＳ保障ＴＦＣＳを構成する（図１３のＳ２６、図１１の（４）、図１２の（４））。
【００６７】
しかし、前記ＬｏＣＨ３で伝送されるデータ量が最低ＱｏＳ＝１ＴＢ／ＴＴＩより少ないと、ＭＡＣ層は、前記有効ＴＦＣＳからＬｏＣＨ３のデータ伝送を保障できないＴＦＣを除いてＱｏＳ保障ＴＦＣＳを構成する（図１３のＳ２７）。
【００６８】
ＱｏＳ保障ＴＦＣＳに含まれない論理チャネルが残っている場合、ＭＡＣ層は、図１３の段階（Ｓ２４）に戻り、ＱｏＳ保障ＴＦＣＳに含まれない論理チャネルが残っていない場合、ＭＡＣ層は、ＱｏＳ保障ＴＦＣＳを有効ＴＦＣＳとして構成する（図１３のＳ２９）。その後の過程は、図３に示す一般的なＴＦＣ選択方法と同一である。
【００６９】
より具体的に説明すると、本発明の第２の方法により、論理チャネルで伝送されるデータ量と関係なく最低ＱｏＳのみを考慮してＱｏＳ保障ＴＦＣＳを構成する場合、本発明による第１の方法の第２の問題のように、伝送されるデータがないときは、ＲＬＣ層がパディングブロックを生成するか、プロトコルエラーが発生する。従って、論理チャネルに最低ＱｏＳが定義されていても、ＱｏＳ保障ＴＦＣＳを構成するときは、図１３の段階（Ｓ２５）のように該当論理チャネルのデータ量も考慮されなければならない。
【００７０】
本発明において、異なる優先順位と異なるＱｏＳを設けているサービスを多重化して伝送するとき、ＭＡＣ層が各サービスの優先順位だけでなく、ＱｏＳも考慮してＴＦＣを選択することにより、優先順位が低いサービスも一定水準のＱｏＳが保障される。
【００７１】
本発明において、ＭＡＣ層がＴＦＣを選択すると、最低ＱｏＳが保障されるとともに、論理チャネルで伝送されるデータ量を考慮してＴＦＣを選択することにより、パディングブロック又はプロトコルのエラーの発生が防止される。
【００７２】
図１４は、本発明の移動通信装置４００、すなわち、本発明の方法を行う携帯電話のブロック図である。移動通信装置４００は、マイクロプロセッサやデジタルシグナルプロセッサなどのプロセッシングユニット４１０と、ＲＦモジュール４３５と、パワーマネジメントモジュール４０６と、アンテナ４４０と、バッテリ４５５と、ディスプレイ４１５と、キーパッド４２０と、フラッシュメモリ、ＲＯＭ、ＳＲＡＭなどの保存手段４３０と、スピーカ４４５と、マイク４５０とを含む。
【００７３】
ユーザは、キーパッド４２０のボタンを押すことにより、又は、マイク４５０のボイスアクティベーションにより、電話番号のような指示情報を入力する。前記プロセッシングユニット４１０は、前記指示情報を受信及び処理して前記電話番号のダイヤリングのような適切な機能を実行する。動作データは、前記機能を実行するために前記保存手段４３０から検索される。また、前記プロセッシングユニット４１０は、ユーザの便宜のためにディスプレイ４１５に前記指示情報及び動作情報を表示する。
【００７４】
前記プロセッシングユニット４１０は、前記ＲＦモジュール４３５に指示情報を登録し、音声通信データを含む無線信号を伝送することなどにより通信を開始する。前記ＲＦモジュール４３５は、受信器及び送信器を備えて無線信号を送受信する。前記アンテナ４４０は、前記無線信号の送受信を容易にする。無線信号を受信すると、前記ＲＦモジュール４３５は、前記プロセッシングユニット４１０が処理できるように前記無線信号をベースバンド周波数に伝送及び変換する。前記処理された信号は、スピーカ４４５などにより聴き取り又は読み出しできる情報出力に変形される。
【００７５】
前記プロセッシングユニット４１０は、他のユーザから受信したメッセージと他のユーザに送信したメッセージなどのメッセージヒストリデータ（Ｍｅｓｓａｇｅ  Ｈｉｓｔｏｒｙ  Ｄａｔａ）を保存手段４３０に保存し、前記ユーザが入力したメッセージヒストリデータに対する条件付き要求を受信し、前記保存手段４３０から条件付き要求に該当するメッセージヒストリデータを読み出すために前記条件付き要求を処理し、このようなメッセージヒストリデータをディスプレイ４１５に出力する。また、前記保存手段４３０は、送受信メッセージなどのメッセージヒストリデータを保存する。
【００７６】
図１５は、本発明の実施形態によるＵＴＲＡＮ５２０のブロック図を示す。ＵＴＲＡＮ５２０は、１つ又はそれ以上の無線ネットワークサブシステム（ＲＮＳ）５２５を含み、それぞれのＲＮＳ５２５は、無線ネットワーク制御装置（ＲＮＣ）５２３と該ＲＮＣ５２３により管理される複数のＮｏｄｅ  Ｂ（基地局）５２１を含む。また、ＲＮＣ５２３は、無線リソースの割り当て及び管理を担当し、コアネットワーク４に対してアクセスポイントとして動作する。さらに、前記ＲＮＣ５２３は、本発明の方法を行うために使用される。
【００７７】
Ｎｏｄｅ  Ｂ５２１は、アップリンクで端末４００の物理層により送信された情報を受信し、ダウンリンクで前記端末にデータを送信し、前記端末４００のためのＵＴＲＡＮ５２０のアクセスポイント又は送受信器として動作する。前記移動通信装置４００は、前記プロセッシングユニット４１０又は他のデータ／デジタルプロセッシングユニットのみを使用して実現することもでき、外部サポート論理（ｅｘｔｅｒｎａｌ  ｓｕｐｐｏｒｔ  ｌｏｇｉｃ）と共に使用して実現することもできることは当業者にとって明白である。
【００７８】
本発明によると、移動通信端末のユーザは、複数の上位層チャネルから下位層チャネルにデータユニットを多重化することにより、伝送時間間隔内で複数のデータユニットを伝送するためのトランスポートフォーマット組み合わせを選択することができ、決定されたＴＦＣＳ及び伝送優先順位により選択される前記トランスポートフォーマット組み合わせは、各複数の上位層チャネルからデータユニットを伝送するために存在し、複数の上位層チャネルの少なくとも１つは、対応する最低ＱｏＳ要求事項を設けており、前記少なくとも１つの上位層チャネルに対する最低ＱｏＳを保障するようにトランスポートフォーマット組み合わせが選択される。
【００７９】
本発明は、無線通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲をＵＭＴＳなどの特定無線通信システムに限定するものではない。本発明は、さらに、ＴＤＭＡ、ＣＤＭＡ、ＦＤＭＡ、ＷＣＤＭＡなどの他の無線インタフェース及び／又は他の物理層を使用する他の無線通信システムにも適用できる。
【００８０】
本実施形態は、ソフトウェア、ファームウェア、ハードウェア、又はこれらの組み合わせを生産するための標準プログラム及び／又はエンジニアリング技術を利用して製造方法、装置、又は製造物として実行できる。ここで、「製造物」という用語は、ハードウェアロジック（例えば、集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例えば、ハードディスクドライブ、フロッピー（登録商標）ディスク、テープなどの磁気記録媒体）、光記録装置（ＣＤ−ＲＯＭ、光ディスクなど）、又は揮発性／不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど）において実行されるコードやロジックを示す。
【００８１】
コンピュータ可読媒体内のコードはプロセッサにより接続及び実行される。本実施形態を実行するコードは伝送媒体を通じて、又はネットワーク上のファイルサーバから接続することもできる。その場合、前記コードが実行される製造物は、ネットワーク転送ライン、無線伝送媒体、空中を伝播する信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体も含むことができるという点を理解すると思われる。
【００８２】
本発明の思想や重要な特性から外れない限り、本発明は多様な形態で実現することができ、前述した実施形態によって限定されるものでなく、むしろ請求の範囲に記載の本発明の思想や範囲内で広く解釈されるべきであり、本発明の請求の範囲内で行われるあらゆる変更及び変形、並びに請求の範囲の均等物は本発明の請求の範囲に含まれる。
【図面の簡単な説明】
【００８３】
発明の理解を容易にするために添付され、本明細書の一部を構成する図面は、本発明の多様な実施形態を示し、明細書と共に本発明の原理を説明する。図面において同一符号を付す本発明の特徴、構成要素、及び様態は、１つ以上の実施形態において同一、同等、又は類似した特徴、構成要素、及び様態を示す。
【図１】一般的なＵＭＴＳネットワーク構造を示す図である。
【図２】前記ＵＭＴＳで使用される一般的な無線インタフェースプロトコルの構造を示す図である。
【図３】ＭＡＣ層がＴＦＣを選択する方法を示す図である。
【図４】複数の論理チャネルと複数のトランスポートチャネルが１つの無線チャネルに多重化されることを示す図である。
【図５】最優先順位の論理チャネルのＴＢの数が３であるときにトランスポートフォーマット組み合わせを選択する方法を示す図である。
【図６】最優先順位の論理チャネルのＴＢの数が７であるときにトランスポートフォーマット組み合わせを選択する方法を示す図である。
【図７】本発明の一実施形態により、特定論理チャネルの最低サービス品質が保障されるように上位層がトランスポートフォーマット組み合わせセットを構成する方法を示す図である。
【図８】図７で構成されたトランスポートフォーマット組み合わせセットにおいて、最優先順位の論理チャネルのＴＢの数が３であるときに最適ＴＦＣを選択する方法を示す図である。
【図９】図７で構成されたトランスポートフォーマット組み合わせセットにおいて、最優先順位の論理チャネルのＴＢの数が７であるときに最適ＴＦＣを選択する方法を示す図である。
【図１０】本発明の一実施形態により、上位層が特定論理チャネルの最低サービス品質保障をＭＡＣ層に指示する方法を示す図である。
【図１１】本発明の一実施形態により、上位層の最低サービス品質保障の指示により、最優先順位の論理チャネルのＴＢの数が３であるときに最適ＴＦＣを選択する方法を示す図である。
【図１２】本発明の一実施形態により、上位層の最低サービス品質保障の指示により、最優先順位の論理チャネルのＴＢの数が７であるときに最適ＴＦＣを選択する方法を示す図である。
【図１３】本発明の一実施形態により、最低サービス品質が保障されるようにＭＡＣ層がトランスポートフォーマット組み合わせを選択する方法を示す図である。
【図１４】本発明の一実施形態により、最低サービス品質が保障されるようにＭＡＣ層がトランスポートフォーマット組み合わせを選択する端末を示す図である。
【図１５】本発明の一実施形態により、最低サービス品質が保障されるようにＭＡＣ層がトランスポートフォーマット組み合わせを選択するネットワークを示す図である。
【図１】
2008503145.tif 000003
【図２】
2008503145.tif 000004
【図３】
2008503145.tif 000005
【図４】
2008503145.tif 000006
【図５】
2008503145.tif 000007
【図６】
2008503145.tif 000008
【図７】
2008503145.tif 000009
【図８】
2008503145.tif 000010
【図９】
2008503145.tif 000011
【図１０】
2008503145.tif 000012
【図１１】
2008503145.tif 000013
【図１２】
2008503145.tif 000014
【図１３】
2008503145.tif 000015
【図１４】
2008503145.tif 000016
【図１５】
2008503145.tif 000017
【国際調査報告】
2008503145.tif 000018
2008503145.tif 000019